(57)【特許請求の範囲】
【請求項１】
ブラケット(５)内に、ディスク(60)を内包したカートリッジ(６)が挿入されるキャリッジ(３)と、該キャリッジ(３)の下方に対向配備された記録再生ユニット(４)と、カートリッジ(６)をキャリッジ(３)内にて水平に移動させる第１のスライド部材(１)と、第１のスライド部材(１)に連繋し、カートリッジ(６)がキャリッジ(３)の奥部に水平移動した位置にて、キャリッジ(３)を記録再生ユニット(４)に下降させる第２のスライド部材(２)と、両スライド部材(１)(２)に噛合して駆動するギア(58)を具えたディスク記録又は再生装置に於いて、
カートリッジ(６)がキャリッジ(３)に挿入されない待機位置にて第１のスライド部材(１)がギア(58)に噛合し、第２のスライド部材(２)とギア(58)との噛合が外れており、
第１のスライド部材(１)とブラケット(５)との間には、待機位置にて第２のスライド部材(２)の水平移動を規制し、ギア(58)駆動された第１のスライド部材(１)がカートリッジ(６)を待機位置から奥向きに搬送した状態にて、第２のスライド部材(２)の移動規制を解除するカム機構が形成され、
該移動規制が解除された状態にて、第１のスライド部材(１)に連繋した第２のスライド部材(２)はギア(58)に噛合することを特徴とするディスク記録又は再生装置。
【請求項２】
カム機構は、第１のスライド部材(１)に開設された第３カム孔(11)と、ブラケット(５)の側板(50)に形成された第１カム孔(54)と、第２のスライド部材(２)に開設された第４カム孔(21)と、両スライド部材(１)(２)を連結するレバー(９)を有する請求項１に記載のディスク記録又は再生装置。
【発明の詳細な説明】
【０００１】
【発明の属する技術分野】
本発明は、カートリッジが挿入されるキャリッジを、カートリッジが奥向きに移動した後に、記録再生ユニットに向けて下降させるディスク記録又は再生装置に関する。
【０００２】
【従来の技術】
図８は、従来のディスク記録又は再生装置の一部を破断した平面図であり、図９は、図８をＡ方向から見た正面図である。記録媒体であるディスク(60)はカートリッジ(６)内に収納され、カートリッジ(６)上のシャッタ(61)が開くと、ディスク(60)が露出する。カートリッジ(６)の下面両端部には、側面が開口した凹部(62)(62)が形成されている。
一対の側板(50)(50)を設けたブラケット(５)内には、カートリッジ(６)が挿入されるキャリッジ(３)が昇降可能に設けられ、キャリッジ(３)の下方にはベース(40)上にターンテーブル(42)及びピックアップ(41)を周知の如く具えた記録再生ユニット(４)が配備されている。以下の記載では、カートリッジ(６)をキャリッジ(３)に挿入する向きを前方、キャリッジ(３)から排出する向きを後方とする。
【０００３】
キャリッジ(３)内には、カートリッジ(６)を搬送する横板(７)が前後移動可能に設けられ、ブラケット(５)の側板(50)の外側には２枚の第１、第２スライド部材(１)(２)が前後移動可能に設けられている。外側に位置する第１のスライド部材(１)は横板(７)を前後移動させ、内側に位置する第２のスライド部材(２)はキャリッジ(３)を昇降させる。
該横板(７)の両端部には爪片(70)が枢支(71)されている。爪片(70)は枢支部(71)に嵌められたネジリバネ(図示せず)により外向きに付勢され、爪片(70)に設けられた突起部(70a)がキャリッジ(３)の後端縁に接している。キャリッジ(３)にカートリッジ(６)を挿入すると、横板(７)と爪片(70)が奥向きに移動し、突起部(70a)がキャリッジ(３)の側面内側に接して、爪片(70)はネジリバネの付勢に抗して内向きに回動する。凹部(62)と爪片(70)の先端部が対向して、爪片(70)は更に内向きに回転して凹部(62)に嵌まる。爪片(70)が凹部(62)に嵌まった状態で、第１のスライド部材(１)が前進して、カートリッジ(６)を搬送する。第２のスライド部材(２)は第１のスライド部材(１)の後に前進し、横板(７)が図８に一点鎖線で示す位置にまでカートリッジ(６)を搬送すると、キャリッジ(３)及びカートリッジ(６)が記録再生ユニット(４)に下降し、信号の記録又は再生がされる。
【０００４】
【発明が解決しようとする課題】
斯種装置に於いては、第１のスライド部材(１)が移動して、カートリッジ(６)を搬送する際に、第２のスライド部材(２)が不用意に移動すると、カートリッジ(６)がキャリッジ(３)の奥部に未だ達せずに、キャリッジ(３)が下降する虞れがある。これでは、カートリッジ(６)が記録再生ユニット(４)に正確に対向せず、信号が正しく記録又は再生されない。従って、両スライド部材(１)(２)の動作タイミングを正確に切り換える必要がある。
本発明は、簡素な機構でキャリッジを昇降させるスライド部材の不用意な移動を防ぐことを目的とする。
【０００５】
【課題を解決する為の手段】
カートリッジ(６)がキャリッジ(３)に挿入されない待機位置にて第１のスライド部材(１)がギア(58)に噛合し、第２のスライド部材(２)とギア(58)との噛合が外れており、第１のスライド部材(１)とブラケット(５)との間には、カートリッジ(６)がキャリッジ(３)に挿入されない待機位置にて、第２のスライド部材(２)の水平移動を規制し、ギア(58)駆動された第１のスライド部材(１)がカートリッジ(６)を待機位置から奥向きに搬送した状態にて、第２のスライド部材(２)の移動規制を解除するカム機構が形成され、該移動規制が解除された状態にて、第１のスライド部材(１)に連繋した第２のスライド部材(２)はギア(58)に噛合する。
【０００６】
【作用及び効果】
待機位置
第１のスライド部材(１)は、カム機構によって第２のスライド部材(２)の移動、具体的には前進を規制している。カートリッジ(６)は搬送されず、キャリッジ(３)は昇降しない。
カートリッジ挿入
キャリッジ(３)にカートリッジ(６)が挿入されると、第１のスライド部材(１)がギア(58)(57)に駆動されて、カートリッジ(６)をキャリッジ(３)の奥部に搬送する。カム機構によって、第２のスライド部材(２)の移動規制は解除される。
第２のスライド部材(２)は第１のスライド部材(１)に連繋して移動し、ギア(58)(57)に噛合する。第２のスライド部材(２)は第１のスライド部材(１)の後に移動して、キャリッジ(３)を下降させ、カートリッジ(６)が記録再生ユニット(４)に対向する。
即ち、本発明にあっては、第１のスライド部材(１)とブラケット(５)との間に形成されたカム機構によって、第２のスライド部材(２)の移動と移動規制が切り換えられる。従って、第２のスライド部材(２)の不用意な移動が防止されるとともに、カートリッジ(６)の水平移動と、キャリッジ(３)の昇降の動作タイミングを切り換える機構が簡素になる。
【０００７】
【発明の実施の形態】
以下、本発明の一例を図を用いて詳述する。
(全体構成)
図２は、本例に係わるディスク記録又は再生装置の概略を示す側面図である。シャーシ(８)上には、複数枚のカートリッジ(６)(６)を上下段に収納した箱体(80)が設けられ、該箱体(80)の前方にブラケット(５)が昇降自在に設けられている。該ブラケット(５)内には、箱体(80)から突出したカートリッジ(６)を収納するキャリッジ(３)と、記録再生ユニット(４)が配備され、キャリッジ(３)は記録再生ユニット(４)に対して昇降可能に設けられる。所望のカートリッジ(６)に信号を記録、又は該カートリッジ(６)から信号を再生するときは、ブラケット(５)を昇降させて、キャリッジ(３)をカートリッジ(６)の前方に対向配備する。カートリッジ(６)をキャリッジ(３)内に引き込むと、キャリッジ(３)を記録再生ユニット(４)に向けて下降し、信号の記録又は再生を行なう。本例にあっては、キャリッジ(３)内にカートリッジ(６)を搬送する機構、及びキャリッジ(３)を昇降させる機構に特徴がある。
【０００８】
図１は、ディスク記録又は再生装置の平面図であり、キャリッジ(３)の天面を省いている。ブラケット(５)は、平板(51)の両端部に側板(50)(50)を設け、両側板(50)(50)間には、カートリッジ(６)が挿入されるキャリッジ(３)が昇降可能に配備される。従来と同様に、キャリッジ(３)内には爪片(70)(70)を設けた横板(７)が前後移動可能に設けられている。
ブラケット(５)の外側には、横板(７)に連繋した第１のスライド部材(１)と、後記の如く、第１のスライド部材(１)に連繋して、キャリッジ(３)を昇降させる第２のスライド部材(２)がともに、前後移動可能に設けられている。両スライド部材(１)(２)はともに合成樹脂製の板状で、上面にラック(10)(20)が形成されている。
【０００９】
両スライド部材(１)(２)は、ブラケット(５)の側板(50)上に設けられた一対のギア(57)(58)に噛合可能である。カートリッジ(６)がキャリッジ(３)に挿入されない待機位置にて、第１のスライド部材(１)は後側のギア(58)に噛合し、第２のスライド部材(２)は後側のギア(58)の後方に位置して、ラック(20)とギア(58)の噛合が外れている。ブラケット(５)の前端部には、モータ(Ｍ)が設けられ、モータ(Ｍ)の動力は、歯車列(図示せず)を介してギア(57)(58)に伝達される。図１では、ギア(57)(58)はブラケット(５)の左側にのみ配備されているが、ブラケット(５)の右側にも配備されている。
【００１０】
図３は、ブラケット(５)、記録再生ユニット(４)、キャリッジ(３)の分解斜視図である。ブラケット(５)の側板(50)には、第１縦孔(52)、第２縦孔(53)、第１カム孔(54)、第２カム孔(55)が開設されている。第２縦孔(53)は、前後に延びた水平孔(56)に繋がり、第１カム孔(54)は、縦案内孔(54a)と、該縦案内孔(54a)の下端から前に向かう前後案内孔(54b)と、該前後案内孔(54b)の前端から斜め下向きに延びた傾斜孔(54c)を具える。第２カム孔(55)は前に向かって上向きに延びた傾き孔(55a)と、該傾き孔(55a)の先端から前後に延びた水平案内孔(55b)を具える。
キャリッジ(３)の側面には、側方に突出した第１突軸(30)、第２突軸(31)が前後に設けられ、第１突軸(30)が第１縦孔(52)に、第２突軸(31)が第２縦孔(53)に夫々嵌まって、キャリッジ(３)は昇降移動のみを許される。キャリッジ(３)の下端部からは、横板(７)に設けられた突片(72)が側方に突出している。ブラケット(５)の平板(51)と側板(50)間の隙間Ｍには、横板(７)の突片(72)が嵌まる嵌合片(13)が前後移動可能に嵌まり、該嵌合片(13)は第１のスライド部材(１)に取り付けられる。第１のスライド部材(１)が前後移動すれば、嵌合片(13)を介して横板(７)が前後移動する。
【００１１】
第１のスライド部材(１)には、第３カム孔(11)が開設され、該第３カム孔(11)は左側面が開口した下側孔(11a)と、該下側孔(11a)に繋がった上側孔(11b)を具える。第２のスライド部材(２)には、第４カム孔(21)、第５カム孔(22)が開設され、第４カム孔(21)は水平ガイド孔(21a)と、該水平ガイド孔(21a)の前端から上向きに延びた縦ガイド孔(21b)を具える。各第５カム孔(22)は、第１前後孔(22a)と、第１前後孔(22a)の前端から斜め上向きに延びた傾斜孔(22b)と、該傾斜孔(22b)の前端から前向きに延びた第２前後孔(22c)とを具える。
【００１２】
記録再生ユニット(４)は、ブラケット(５)の平板(51)上に設けられ、ベース(40)上にピックアップ(41)をターンテーブル(42)に対して接近離間可能に設けている。ピックアップ(41)には先端部に記録ヘッド(43)を具えたヘッドレバー(44)が取り付けられ、該ヘッドレバー(44)は、ピックアップ(41)に対して接近離間する向きに回転可能に設けられている。信号記録時にはヘッドレバー(44)が下降して、記録ヘッド(43)がキャリッジ(３)に開設された透窓(32)を通って、カートリッジ(６)内のディスク(60)に接する。
【００１３】
図４は、第１、第２スライド部材(１)(２)、側板(50)の分解図である。第１のスライド部材(１)上にて、第３カム孔(11)の下方には、第６カム孔(12)が開設されている。該第６カム孔(12)は、縦案内孔(12a)と、縦案内孔(12a)の下端から前向きに延び先端が開口した水平案内孔(12b)を具える。
側板(50)の内側には、両スライド部材(１)(２)を連結するレバー(９)が設けられ、該レバー(９)の両端部には枢軸(90)(91)が外向きに突出している。ブラケット(５)の内側から外向きに、レバー(９)、側板(50)、第２のスライド部材(２)、第１のスライド部材(１)が配備される(図１参照)。前側の枢軸(90)は、側板(50)の第２カム孔(55)を通って、前進した第１のスライド部材(１)の第６カム孔(12)に嵌まる。後側の枢軸(91)は、側板(50)の第１カム孔(54)、第２のスライド部材(２)の第４カム孔(21)を通って、後退した第１のスライド部材(１)の第３カム孔(11)に嵌まる。第２のスライド部材(２)の前端部に設けられた突部(23)が、側板(50)の水平孔(56)に嵌まって、前後移動を案内される。
【００１４】
図５(a)、(b)、(c)、(d)、及び図６は、カートリッジ(６)がキャリッジ(３)に挿入されない待機位置からカートリッジ(６)が水平移動してキャリッジ(３)の奥部に達するまでの状態を示す側面図である。説明の便宜上、両スライド部材(１)(２)を実線で示す。
待機位置
カートリッジ(６)が未だキャリッジ(３)に挿入されない待機位置は、図５(a)に示される。キャリッジ(３)の第１突軸(30)は、側板(50)の第１縦孔(52)及び第２のスライド部材(２)の第２前後孔(22c)に嵌まっている。第２突軸(31)は、第２縦孔(53)及び第２のスライド部材(２)の第２前後孔(22c)に嵌まっており、キャリッジ(３)は上昇している。
レバー(９)の後側の枢軸(91)は、第１カム孔(54)の縦案内孔(54a)を通って、第４カム孔(21)の縦ガイド孔(21b)の上端に位置し、後退した第１のスライド部材(１)の第３カム孔(11)に嵌まっている。枢軸(91)が側板(50)の縦案内孔(54a)と、第２のスライド部材(２)の縦ガイド孔(21b)に嵌まっていることにより、第２のスライド部材(２)の前進は規制されている。
前側の枢軸(90)は、第２カム孔(55)の傾き孔(55a)の下端に位置している。第１のスライド部材(１)が後側のギア(58)に噛合し、第２のスライド部材(２)はギア(58)に噛合していない。
【００１５】
カートリッジ挿入時
箱体(80、図１参照)からカートリッジ(６)がキャリッジ(３)に挿入されると、ギア(58)が第１のスライド部材(１)を前進させる向きに回転する。図５(b)に示すように、第１のスライド部材(１)の前進に従って、レバー(９)の後側の枢軸(91)が、第３カム孔(11)の上側孔(11b)から下側孔(11a)に移動して、レバー(９)は前側の枢軸(90)を中心に反時計方向に回動する。レバー(９)の後側の枢軸(91)は、側板(50)の第１カム孔(54)の前後案内孔(54b)の後端に達する。これにより、第２のスライド部材(２)の前進の規制は解除される。第１のスライド部材(１)は前進を続け、前側のギア(57)に噛合する。
【００１６】
カートリッジ前進
第１のスライド部材(１)が更に前進すると、レバー(９)の前側の枢軸(90)が第６カム孔(12)の水平案内孔(12b)に嵌まる。該枢軸(90)が水平案内孔(12b)の後端に接すると、図５(c)に示すように、第１のスライド部材(１)はレバー(９)を前向きに引っ張る。レバー(９)の前側の枢軸(90)が傾き孔(55a)に沿って上昇し、レバー(９)は後側の枢軸(91)を中心に反時計方向に回動する。レバー(９)の前側の枢軸(90)は第６カム孔(12)の縦案内孔(12a)に達し、第１のスライド部材(１)が前進し続けているから、第１のスライド部材(１)はレバー(９)を前向きに引っ張る。
後側の枢軸(91)は、第２のスライド部材(２)の第４カム孔(21)の縦ガイド孔(21b)に嵌まっているから、前進規制が解除された第２のスライド部材(２)はレバー(９)により前向きに引っ張られる。第２のスライド部材(２)はラック(20)が後側のギア(58)に噛合して前進する。
前側のギア(57)が回転し続けることにより、図５(c)に示すように、第１のスライド部材(１)のラック(10)と前側のギア(57)の噛合が外れる。然るに、レバー(９)の後側の枢軸(91)は第２のスライド部材(２)の縦ガイド孔(21b)に嵌まっており、前側の枢軸(90)は、縦案内孔(12a)に嵌まっているから、両スライド部材(１)(２)はレバー(９)にて連結される。第２のスライド部材(２)はレバー(９)を介して第１のスライド部材(１)を前に押す。
【００１７】
カートリッジ水平移動完了
第２のスライド部材(２)の前進に伴い、レバー(９)の後側の枢軸(91)は、図５(d)に示すように、側板(50)の第１カム孔(54)の傾斜孔(54c)を辿って下降する。該枢軸(91)は第２のスライド部材(２)の第４カム孔(21)の水平ガイド孔(21a)に達して、第１のスライド部材(１)をもはや前に押さない。第１のスライド部材(１)は前進が完了し、前記の如く、該第１のスライド部材(１)に取り付けられた横板(７)(図３参照)はキャリッジ(３)内を奥向きへの前進を停止する。横板(７)はカートリッジ(６)をチャックして水平搬送するからカートリッジ(６)の前進が完了する。
【００１８】
カートリッジ下降
レバー(９)の後側の枢軸(91)は、第２のスライド部材(２)の水平ガイド孔(21a)に達し、また前側の枢軸(90)は側板(50)の水平案内孔(55b)の後端に嵌まる。両スライド部材(１)(２)の連結は解除されて、第２のスライド部材(２)の前進を許す。更に、第２のスライド部材(２)が前進すると、図６に示すように、キャリッジ(３)の第１、第２突軸(30)(31)は、第５カム孔(22)に沿って下向きに付勢され、キャリッジ(３)は下降する。即ち、図３に示すキャリッジ(３)が記録再生ユニット(４)に向けて下降し、キャリッジ(３)内のカートリッジ(６)が記録再生ユニット(４)上に載置される。この状態で、ディスク(60)内の信号が再生される。
尚、ディスク(60)に信号を記録するには、この信号の再生状態から、前側のギア(57)を更に回転させる。第２のスライド部材(２)が更に前進し、第２のスライド部材(２)は側板(50)の前端部に配備された記録検出スイッチ(ＳＷ)を押す。モータ(Ｍ)への通電が遮断され、第２のスライド部材(２)が停止する。この状態で、図３に示すヘッドレバー(44)が下降回動し、記録ヘッド(43)がカートリッジ(６)内のディスク(60)に接して、ピックアップ(41)からビームが照射されつつ、信号が記録される。
【００１９】
本例にあっては、第１のスライド部材(１)に開設された第３カム孔(11)と、ブラケット(５)の側板(50)に形成された第１カム孔(54)と、第２のスライド部材(２)に開設された第４カム孔(21)と、レバー(９)の枢軸(91)とによってカム機構を形成し、該カム機構によって、第２のスライド部材(２)の移動と移動規制を切り換える。従って、第２のスライド部材(２)の不用意な移動が防止されるとともに、カートリッジ(６)の水平移動と、キャリッジ(３)の昇降の動作タイミングを切り換える機構が簡素になる。
【００２０】
尚、第２のスライド部材(２)の移動と移動規制を切り換える機構として、図７に示すものがある。これは、一方向にバネ(96)付勢されて、側板(50)に第２のスライド部材(２)の不用意な移動を規制する切換えレバー(95)を設け、カートリッジ(６)が挿入されない待機状態では、該切換えレバー(95)の先端が第２のスライド部材(２)の前端部に接近している。第１のスライド部材(１)と第２のスライド部材(２)は切換えレバー(95)にて連結されている。第１のスライド部材(１)が前進すると、該第１のスライド部材(１)に設けられた解除機構(図示せず)によって、切換えレバー(95)をバネ(96)付勢に抗して回動させて、第２のスライド部材(２)の移行路から脱出させて、第２のスライド部材(２)の前進を許す。
しかし、図７に示す機構では、切換えレバー(９)が必要であるから、構成部品点数が増加する。本例にあっては、第１のスライド部材(１)に開設された第３カム孔(11)と、ブラケット(５)の側板(50)に形成された第１カム孔(54)と、レバー(９)の枢軸(91)とによってカム機構を形成しており、カートリッジ(６)の水平移動と、キャリッジ(３)の昇降の動作タイミングを切り換える機構は図７に示す機構よりも簡素である。
【００２１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】ディスク記録又は再生装置の平面図である。
【図２】ディスク記録又は再生装置の概略を示す側面図である。
【図３】ブラケット、記録再生ユニット、キャリッジの分解斜視図である。
【図４】第１、第２スライド部材、側板の分解図である。
【図５】(a)、(b)、(c)、(d)は、カートリッジがキャリッジに挿入されない待機位置からカートリッジが水平移動してキャリッジの奥部に達するまでの状態を示す側面図である。
【図６】キャリッジが下降した状態を示す側面図である。
【図７】従来の他のディスク記録又は再生装置のスライド部材、側板を示す側面図である。
【図８】従来のディスク記録又は再生装置の一部を破断した平面図である。
【図９】図８をＡ方向から見た正面図である。
【符号の説明】
(１)  第１のスライド部材
(２)  第２のスライド部材
(３)  キャリッジ
(４)  記録再生ユニット
(５)  ブラケット
(６)  カートリッジ
(９)  レバー
(21)  第４カム孔
(50)  側板
(54)  第１カム孔
(58)  ギア
(60)  ディスク
【図１】
0003723447.tif 000002
【図２】
0003723447.tif 000003
【図３】
0003723447.tif 000004
【図４】
0003723447.tif 000005
【図５】
0003723447.tif 000006
【図６】
0003723447.tif 000007
【図７】
0003723447.tif 000008
【図８】
0003723447.tif 000009
【図９】
0003723447.tif 000010